(57)【要約】【課題】搬送に伴う液面の揺れを小さく抑えることが可能な試薬容器を提供すること。【解決手段】自動分析装置の周方向に回転する試薬保冷庫に配置され、試薬を貯留すると共に、上部に分注プローブを挿入する挿入口を有する試薬容器２０は、一端が試薬Ｒa中に挿通されると共に、他端が挿入口２０ａに嵌合され、挿入口を通じた試薬容器内外の空気の流通を遮断する流通遮断管２２を備えている。試薬容器２０は、上部に試薬容器内部を大気へ開放する大気開放機構２５を備えている。【選択図】        図４
2009210274.tif 000002
【特許請求の範囲】
【請求項１】
自動分析装置の周方向に回転する試薬保冷庫に配置され、試薬を貯留すると共に、上部に分注プローブを挿入する挿入口を有する試薬容器であって、
一端が前記試薬中に挿通されると共に、他端が前記挿入口に嵌合され、前記挿入口を通じた当該試薬容器内外の空気の流通を遮断する流通遮断管を備えたことを特徴とする試薬容器。
【請求項２】
前記試薬容器は、上部に当該試薬容器内部を大気へ開放する大気開放機構を備えることを特徴とする請求項１に記載の試薬容器。
【請求項３】
前記大気開放機構は、当該試薬容器内部を外部へ連通させる連通口と、前記連通口をばね力によって閉塞し、前記試薬の吸引後に押圧され、前記ばね力に抗して前記連通口を開放する閉塞部材とを有することを特徴とする請求項２に記載の試薬容器。
【請求項４】
前記大気開放機構は、当該試薬容器内部を大気と連通させる連通口と、前記連通口をばね力によって閉塞する閉塞部材とを有し、前記試薬保冷庫の回転に伴う遠心力によって前記閉塞部材が前記ばね力に抗して半径方向外方へスライドして前記連通口を開放することを特徴とする請求項２に記載の試薬容器。
【発明の詳細な説明】
【技術分野】
【０００１】
本発明は、試薬容器に関するものである。
【背景技術】
【０００２】
従来、自動分析装置は、分注プローブの先端を所定量だけ試薬や検体の液面から侵入させることによって試薬や検体を分注し、分注した検体と試薬とを反応させることによって検体成分の分析を行っている。そして、自動分析装置は、複数の試薬容器を保持した試薬トレイを試薬保冷庫内で回転させて試薬容器を分注位置へ移動させ、前記分注プローブによって所定の試薬を分注している。このとき、分注プローブは、試薬が先端に付着するため、次の吸引を行うときに試薬が汚染されないように吐出後の分注プローブの先端を洗浄している。
【０００３】
しかし、従来の自動分析装置は、試薬トレイを回転させて試薬容器を移動させることから、試薬容器内の試薬の液面が揺れる結果、分注の際に分注プローブが液面から試薬中へ過剰に潜り込んでしまい、分注プローブ先端の洗浄が不十分になるという問題があった。このため、試薬容器は、試薬容器の移動に伴う試薬液面の揺れを抑制する種々の提案がなされている（例えば、特許文献１）。
【０００４】
【特許文献１】特開２０００−２７５２５１号公報
【発明の開示】
【発明が解決しようとする課題】
【０００５】
ところで、近年、自動分析装置は、検体数の増加による分析時間の短縮が求められるようになり、これに伴って試薬容器を搬送する試薬保冷庫の試薬トレイの回転速度が増加し、試薬液面の揺れの増大による分注プローブの試薬中への過剰な潜り込みが懸念されるようになった。
【０００６】
本発明は、上記に鑑みてなされたものであって、搬送に伴う液面の揺れを小さく抑えることが可能な試薬容器を提供することを目的とする。
【課題を解決するための手段】
【０００７】
上述した課題を解決し、目的を達成するために、本発明の試薬容器は、自動分析装置の周方向に回転する試薬保冷庫に配置され、試薬を貯留すると共に、上部に分注プローブを挿入する挿入口を有する試薬容器であって、一端が前記試薬中に挿通されると共に、他端が前記挿入口に嵌合され、前記挿入口を通じた当該試薬容器内外の空気の流通を遮断する流通遮断管を備えたことを特徴とする。
【０００８】
また、本発明の試薬容器は、上記の発明において、前記試薬容器は、上部に当該試薬容器内部を大気へ開放する大気開放機構を備えることを特徴とする。
【０００９】
また、本発明の試薬容器は、上記の発明において、前記大気開放機構は、当該試薬容器内部を外部へ連通させる連通口と、前記連通口をばね力によって閉塞し、前記試薬の吸引後に押圧され、前記ばね力に抗して前記連通口を開放する閉塞部材とを有することを特徴とする。
【００１０】
また、本発明の試薬容器は、上記の発明において、前記大気開放機構は、当該試薬容器内部を大気と連通させる連通口と、前記連通口をばね力によって閉塞する閉塞部材とを有し、前記試薬保冷庫の回転に伴う遠心力によって前記閉塞部材が前記ばね力に抗して半径方向外方へスライドして前記連通口を開放することを特徴とする。
【発明の効果】
【００１１】
本発明の試薬容器は、一端が試薬中に挿通されると共に、他端が挿入口に嵌合され、挿入口を通じた試薬容器内外の空気の流通を遮断する流通遮断管を備えているので、流通遮断管によって内外の流通を遮断された内部の空気によって試薬の液面が押圧された状態となり、搬送に伴う液面の揺れが抑制されるという効果を奏する。
【発明を実施するための最良の形態】
【００１２】
（実施の形態１）
以下、本発明の試薬容器にかかる実施の形態１について、図面を参照しつつ詳細に説明する。図１は、実施の形態１の試薬容器を使用する自動分析装置の一例を示す概略構成図である。図２は、実施の形態１の試薬容器を示す斜視図である。図３は、図２に示す試薬容器の平面図である。図４は、図３の試薬容器のＣ1−Ｃ1線に沿った断面図である。
【００１３】
自動分析装置１は、図１に示すように、作業テーブル２上に検体テーブル３、検体分注機構５、反応ホイール６、測光装置８、洗浄装置９、撹拌装置１０、試薬分注機構１１及び試薬テーブル１２が設けられている。
【００１４】
検体テーブル３は、図１に示すように、駆動手段によって矢印で示す方向に回転され、外周には周方向に沿って等間隔で配置される収納室３ａが複数設けられている。各収納室３ａは、検体を収容した検体容器４が着脱自在に収納される。
【００１５】
検体分注機構５は、反応ホイール６に保持された複数の反応容器７に検体を分注する分注プローブを備えた分注手段であり、図１に示すように、検体テーブル３の複数の検体容器４から検体を順次反応容器７に分注する。
【００１６】
反応ホイール６は、検体テーブル３とは異なる駆動手段によって図１に矢印で示す方向に回転され、外周には周方向に沿って複数の凹部６ａが等間隔で設けられている。反応ホイール６は、各凹部６ａの半径方向両側に測定光が通過する開口が形成されている。反応ホイール６は、一周期で時計方向に（１周−１反応容器）／４分回転し、四周期で反時計方向に凹部６ａの１個分回転する。反応ホイール６の外周近傍には、測光装置８、洗浄装置９及び撹拌装置１０が配置されている。
【００１７】
反応容器７は、容量が数ｎＬ〜数十μＬと微量な四角筒形状のキュベットであり、凹部６ａに配置して使用される。反応容器７は、測光装置８の光源から出射された分析光に含まれる光の８０％以上を透過する透明素材、例えば、耐熱ガラスを含むガラス，環状オレフィンやポリスチレン等の合成樹脂が使用される。
【００１８】
測光装置８は、図１に示すように、反応ホイール６の外周近傍に配置され、反応容器７に保持された液体を分析する分析光を出射する光源と、液体を透過した分析光を分光して受光する受光器とを有している。測光装置８は、前記光源と受光器が反応ホイール６の凹部６ａを挟んで半径方向に対向する位置に配置されている。
【００１９】
洗浄装置９は、反応容器７から液体や洗浄液を排出する排出手段と、洗浄液の分注手段とを有している。洗浄装置９は、測光終了後の反応容器７から測光後の液体を排出した後、洗浄液を分注する。洗浄装置９は、洗浄液の分注と排出の動作を複数回繰り返すことにより、反応容器７の内部を洗浄する。このようにして洗浄された反応容器７は、再度、新たな検体の分析に使用される。
【００２０】
撹拌装置１０は、反応容器７に分注された検体と試薬とを、例えば、攪拌棒によって攪拌し、反応させる。但し、撹拌装置１０は、反応容器７に保持された液体を非接触で攪拌する必要がある場合には、表面弾性波素子が発生する音波によって撹拌してもよい。
【００２１】
試薬分注機構１１は、反応ホイール６に保持された複数の反応容器７に試薬を分注プローブ１１ａ（図５参照）によって分注する分注手段であり、試薬容器２０に保持された試薬の液面を検知する液面検知機構を備えている。試薬分注機構１１は、試薬テーブル１２外周の反応ホイール６寄りに配置され、制御部１６による制御の下に、図１に示すように、試薬テーブル１２に配置された所定の試薬容器２０から試薬を順次反応容器７に分注する。
【００２２】
試薬テーブル１２は、試薬保冷庫内に収容されており、検体テーブル３及び反応ホイール６とは異なる駆動手段によって図１に矢印で示す方向に回転され、扇形に成形された収納室１２ａが周方向に沿って複数設けられている。各収納室１２ａには、試薬容器２０が着脱自在に収納される。複数の試薬容器２０は、それぞれ検査項目に応じた所定の試薬が満たされ、外面には収容した試薬に関する情報を表示するバーコードラベル等の情報記録媒体（図示せず）が貼付されている。
【００２３】
ここで、試薬テーブル１２の外周には、図１に示すように、開放装置１３と、試薬容器２０に貼付した前記情報記録媒体に記録された試薬の種類，ロット及び有効期限等の情報を読み取り、制御部１６へ出力する読取装置１４とが設置されている。
【００２４】
開放装置１３は、大気開放機構２５を駆動して試薬容器２０内部を大気へ開放する装置であり、上下動かつ軸廻りに回転自在な支柱上部に水平方向に支持されたアーム１３ａと、アーム１３ａに上下方向に取り付けられた開放ロッド１３ｂ（図６参照）とを有している。
【００２５】
制御部１６は、検体テーブル３、検体分注機構５、反応ホイール６、測光装置８、洗浄装置９、撹拌装置１０、試薬分注機構１１、試薬テーブル１２、開放装置１３、読取装置１４、分析部１７、入力部１８及び表示部１９等と接続され、例えば、分析結果を記憶する記憶機能を備えたマイクロコンピュータ等が使用される。制御部１６は、自動分析装置１の各部の作動を制御すると共に、前記情報記録媒体の記録から読み取った情報に基づき、試薬のロットや有効期限等が設置範囲外の場合、分析作業を停止するように自動分析装置１を制御し、或いはオペレータに警告を発する。
【００２６】
分析部１７は、制御部１６を介して測光装置８に接続され、受光器が受光した光量に基づく反応容器７内の液体の吸光度から検体の成分濃度等を分析し、分析結果を制御部１６に出力する。入力部１８は、制御部１６へ検査項目等を入力する操作を行う部分であり、例えば、キーボードやマウス等が使用される。表示部１９は、分析内容や警報等を表示するもので、ディスプレイパネル等が使用される。
【００２７】
以上のように構成される自動分析装置１は、回転する反応ホイール６によって周方向に沿って搬送されてくる複数の反応容器７に試薬分注機構１１が試薬容器２０から試薬を順次分注する。試薬が分注された反応容器７は、反応ホイール６によって周方向に沿って搬送され、検体分注機構５によって検体テーブル３に保持された複数の検体容器４から検体が順次分注される。
【００２８】
そして、検体が分注された反応容器７は、反応ホイール６によって撹拌装置１０へ搬送され、分注された試薬と検体が順次攪拌されて反応する。このようにして検体と試薬が反応した反応液は、反応ホイール６が再び回転したときに測光装置８を通過し、光源から出射された分析光が透過する。このとき、反応容器７内の試薬と検体の反応液は、受光部で側光され、制御部１６によって成分濃度等が分析される。そして、分析が終了した反応容器７は、洗浄装置９によって洗浄された後、再度検体の分析に使用される。
【００２９】
このとき、実施の形態１の試薬容器２０は、図２〜図４に示すように、上部に分注プローブ１１ａ（図４参照）を挿入する挿入口２０ａを有しており、挿入口２０ａに嵌合された流通遮断管２２と大気開放機構２５とを備えている。
【００３０】
流通遮断管２２は、図４に示すように、下端が試薬Ｒa中に挿通されると共に、上端が挿入口２０ａに嵌合されている。これにより、流通遮断管２２は、挿入口２０ａを通じた試薬容器２０内外の空気の流通を遮断し、試薬テーブル１２の回転に伴う流通遮断管２２内の試薬の液面の揺れを抑制している。ここで、流通遮断管２２は、下端との底壁との間を通って試薬Ｒaが抵抗なく流入し、或いは流出する程度の隙間が底壁との間に形成されるように試薬Ｒa中に挿通する。
【００３１】
大気開放機構２５は、試薬容器２０上部に設けられ、流通遮断管２２によって遮断された試薬容器２０内部を大気へ開放するもので、図４に示すように、試薬容器２０上部に形成された筒部２０ｂにねじ止めされるキャップ２６、キャップ２６に形成した連通口２６ａを閉塞するゴム等の弾性体からなる閉塞部材２７及び閉塞部材２７を連通口２６ａに付勢する押しばね２８を有している。
【００３２】
以上のように構成される試薬容器２０は、通常は、図４に示すように、押しばね２８によって閉塞部材２７が連通口２６ａへ付勢されて連通口２６ａが閉塞されると共に、流通遮断管２２によって試薬容器２０内外の空気の流通が遮断されている。そして、試薬容器２０は、試薬テーブル１２の回転によって試薬分注機構１１の分注位置へ搬送されると、図５に示すように、流通遮断管２２から試薬Ｒa中へ挿入される分注プローブ１１ａによって所定量の試薬Ｒaが吸引される。
【００３３】
このとき、試薬容器２０は、閉塞部材２７によって連通口２６ａが閉塞されると共に、流通遮断管２２によって試薬容器２０内外の空気の流通が遮断されているため、試薬テーブル１２の回転によって高速で搬送されても、内部の空気によって試薬Ｒaの液面が押圧された状態となり、液面の揺れが抑制される。このため、流通遮断管２２内の試薬Ｒaも液面の揺れが抑えられる。従って、分注プローブ１１ａは、分注に伴う試薬Ｒaの吸引に際し、液面から試薬Ｒaの中へ過剰に潜り込むことがない。
【００３４】
また、試薬容器２０は、内外の空気の流通が遮断されているため、試薬Ｒaが吸引されると、図５に示すように、試薬Ｒaが吸引された分だけ試薬容器２０内に比べて流通遮断管２２内の液面が下がり、流通遮断管２２の内外で試薬Ｒaの液面が異なってしまう。
【００３５】
但し、試薬Ｒaが吸引された試薬容器２０は、引き続いて、図６に示すように、開放装置１３の開放ロッド１３ｂによって閉塞部材２７が押しばね２８のばね力に抗して押し下げられ、連通口２６ａを開放する。これにより、試薬容器２０は、内部が外部と連通されて内外の圧力が同じになるため、図６に示すように、流通遮断管２２の内外で試薬Ｒaの液面の位置が同一となる。
【００３６】
そして、試薬容器２０は、開放装置１３の開放ロッド１３ｂによる閉塞部材２７の押圧を解除すると、押しばね２８のばね力によって閉塞部材２７が連通口２６ａを閉塞する。これにより、試薬容器２０は、内外の空気の流通が遮断され、試薬テーブル１２の回転によって高速で搬送されても、液面の揺れ、特に流通遮断管２２内における試薬Ｒa液面の揺れが抑制される。
【００３７】
なお、試薬Ｒaを吸引した分注プローブ１１ａは、上昇された後、水平方向へ移動されて反応容器７の上部へ移動される。そして、分注プローブ１１ａは、所定位置まで下降された後、吸引した試薬Ｒaを反応容器７へ吐出し、元の位置まで上昇される。そして、洗分注プローブ１１ａは、浄位置へ移動されて洗浄された後、新たな試薬の分注動作に移行する。
【００３８】
以上説明したように、試薬容器２０は、通常、閉塞部材２７によって連通口２６ａが閉塞されると共に、流通遮断管２２によって内外の空気の流通が遮断されており、必要に応じて内部と外部が大気開放機構２５によって連通される。このため、試薬容器２０は、内外の空気の流通が遮断された状態においては、保持した試薬の液面が内部の空気によって押圧され、試薬テーブル１２の回転によって高速で搬送されても、保持した試薬の液面の揺れが抑制される結果、流通遮断管２２内の試薬も液面の揺れが抑えられる。従って、試薬容器２０を使用すると、試薬を分注する際、流通遮断管２２内の試薬の液面が殆ど揺れていないので、分注プローブ１１ａが液面から試薬Ｒaの中へ過剰に潜り込むことを回避することができる。
【００３９】
（実施の形態２）
次に、本発明の試薬容器の実施の形態２について説明する。実施の形態１の試薬容器は、大気開放機構としてキャップに形成した連通口を閉塞し、必要に応じて開放装置の開放ロッドによって閉塞を解除される弾性体からなる閉塞部材を使用した。これに対し、実施の形態２の試薬容器は、大気開放機構として試薬保冷庫の回転に伴う遠心力によって連通口を開放する閉塞部材を使用している。
【００４０】
図７は、実施の形態２の試薬容器を示す斜視図である。図８は、図７に示す試薬容器の平面図である。図９は、図８の試薬容器のＣ2−Ｃ2線に沿った断面図である。ここで、実施の形態２の試薬容器は、自動分析装置１で使用され、大気開放機構の構成を除き実施の形態１の試薬容器と構成が同一であるので、対応する構成部材には対応する符号を使用している。
【００４１】
実施の形態２の試薬容器３０は、図７〜図９に示すように、大気開放機構２５に代えて大気開放機構３５を備えている。大気開放機構３５は、図４に示すように、試薬容器３０上部に形成されたシール部３０ｃにスライド自在に嵌着される閉塞部材３７、閉塞部材３７をシール部２０ｃ側へ付勢する押しばね３８及びストッパ３９を有している。シール部３０ｃは、直方体形状に成形されており、試薬容器３０の幅狭となる前端寄りに試薬容器３０の内外を連通する連通口３０ｄが形成されている。連通口３０ｄは、通常、押しばね３８に押圧された閉塞部材３７によって閉塞されている。
【００４２】
ここで、閉塞部材３７は、試薬容器３０を配置した試薬テーブル１２の回転による遠心力によってストッパ３９側へスライドする程度の嵌着力でシール部３０ｃに嵌着され、シール部３０ｃとの間の摩擦力が小さいフッ素樹脂等が使用される。また、押しばね３８は、試薬テーブル１２の回転による遠心力によって長手方向に沿って撓み、試薬テーブル１２の回転停止による遠心力の解除によって元の状態に復帰する程度のばね定数を有するものを使用する。
【００４３】
試薬容器３０は、以上のように構成され、試薬テーブル１２の回転停止中は、図７〜図９に示すように、押しばね３８によって閉塞部材３７が付勢されて連通口３０ｄが閉塞されると共に、流通遮断管３２によって内外の空気の流通が遮断されている。そして、試薬容器３０は、試薬テーブル１２の回転によって試薬分注機構１１の分注位置へ搬送されると、図１０に示すように、流通遮断管３２から試薬Ｒa中へ挿入される分注プローブ１１ａによって所定量の試薬Ｒaが吸引される。
【００４４】
試薬テーブル１２の回転時に、試薬容器３０は、試薬テーブル１２の回転に伴う遠心力によって閉塞部材３７が押しばね３８のばね力に抗してストッパ３９側へスライドし、連通口３０ｄが開放されて内外が連通される。このため、試薬容器３０は、保持した試薬Ｒaの液面が回転に伴って揺動される。但し、試薬容器３０は、試薬テーブル１２の回転が停止して遠心力が解除されると、閉塞部材３７によって連通口３０ｄが閉塞される。
【００４５】
このため、試薬容器３０は、試薬テーブル１２の回転停止によって内外の空気の流通が遮断されるので、試薬テーブル１２の直前の回転によって試薬Ｒaの液面が揺動しても、内部の空気によって試薬Ｒaの液面が押圧されて液面の揺れが抑制される。従って、流通遮断管３２内の試薬Ｒaも液面の揺れが抑えられる。従って、分注プローブ１１ａは、分注に伴う試薬Ｒaの吸引に際し、液面から試薬Ｒaの中へ過剰に潜り込むことがない。
【００４６】
また、試薬容器３０は、内外の空気の流通が遮断されているため、試薬Ｒaが吸引されると、図１０に示すように、試薬Ｒaが吸引された分だけ試薬容器３０内に比べて流通遮断管３２内の液面が下降し、流通遮断管３２内外における試薬Ｒaの液面の位置が異なってしまう。
【００４７】
但し、引き続く試薬の分注に伴う次の試薬テーブル１２の回転により、流通遮断管３２内外における試薬Ｒaの液面の位置が異なる試薬容器３０は、図１１に示すように、閉塞部材３７が遠心力によって押しばね３８のばね力に抗してストッパ３９側へスライドし、連通口３０ｄが開放される。これにより、試薬容器３０は、内部が外部と連通されて内外の圧力が同じになるため、図１２に示すように、流通遮断管３２内外における試薬Ｒaの液面の位置が同一となる。
【００４８】
そして、試薬容器３０は、試薬テーブル１２が回転を停止し遠心力が解除されると、押しばね３８のばね力によって押圧される閉塞部材３７によって連通口３０ｄが閉塞され、流通遮断管３２によって内外の空気の流通が遮断された状態となる。
【００４９】
以上説明したように、試薬容器３０は、試薬テーブル１２の回転が停止しているときには、閉塞部材３７によって連通口３０ｄが閉塞されると共に、流通遮断管３２によって内外の空気の流通が遮断されており、試薬テーブル１２の回転に伴って発生する遠心力によって駆動される大気開放機構３５によって内部と外部が連通される。
【００５０】
このため、試薬容器３０は、内部が外部から遮断された状態においては、試薬テーブル１２の回転によって液面が揺動されても、保持した試薬の液面が内部の空気によって押圧され、保持した試薬の液面の揺れが抑制される結果、流通遮断管３２内の試薬も液面の揺れが抑えられる。従って、試薬容器３０を使用すると、試薬を分注する際、流通遮断管３２内の試薬の液面が殆ど揺れていないので、分注プローブ１１ａが液面から試薬Ｒaの中へ過剰に潜り込むことを回避することができる。
【００５１】
また、試薬容器３０は、試薬テーブル１２の回転に伴う遠心力を利用して大気開放機構３５を駆動するので、実施の形態１の試薬容器２０のように大気開放機構２５を駆動する開放装置１３を設ける必要がないという利点がある。
【００５２】
尚、上記の実施の形態は、試薬容器の場合について説明したが、本発明の試薬容器は、検体や試薬を希釈する希釈液を貯留する貯留容器として使用してもよい。
【図面の簡単な説明】
【００５３】
【図１】実施の形態１の試薬容器を使用する自動分析装置の一例を示す概略構成図である。
【図２】実施の形態１の試薬容器を示す斜視図である。
【図３】図２に示す試薬容器の平面図である。
【図４】図３の試薬容器のＣ1−Ｃ1線に沿った断面図である。
【図５】試薬容器から分注プローブによって試薬を吸引した際の試薬の液面を示す断面図である。
【図６】試薬吸引後、大気開放機構によって試薬容器の内外を連通させた際の液面を示す断面図である。
【図７】実施の形態２の試薬容器を示す斜視図である。
【図８】図７に示す試薬容器の平面図である。
【図９】図８の試薬容器のＣ2−Ｃ2線に沿った断面図である。
【図１０】試薬容器から分注プローブによって試薬を吸引した際の試薬の液面を示す断面図である。
【図１１】閉塞部材が遠心力によってスライドし、連通口が開放された試薬容器の要部を示す拡大図である。
【図１２】試薬吸引後、大気開放機構によって試薬容器の内外を連通させた際の液面を示す断面図である。
【符号の説明】
【００５４】
１                自動分析装置
２                作業テーブル
３                検体テーブル
４                検体容器
５                検体分注機構
６                反応ホイール
７                反応容器
８                測光装置
９                洗浄装置
１０              撹拌装置
１１              試薬分注機構
１１ａ            分注プローブ
１２              試薬テーブル
１３              開放装置
１４              読取装置
１６              制御部
１７              分析部
１８              入力部
１９              表示部
２０              試薬容器
２０ａ            挿入口
２２              流通遮断管
２５              大気開放機構
２６              キャップ
２６ａ            連通口
２７              閉塞部材
２８              押しばね
３０              試薬容器
３０ｄ            連通口
３２              流通遮断管
３５              大気開放機構
３７              閉塞部材
３８              押しばね
３９              ストッパ
Ｒa              試薬
【図１】
2009210274.tif 000003
【図２】
2009210274.tif 000004
【図３】
2009210274.tif 000005
【図４】
2009210274.tif 000006
【図５】
2009210274.tif 000007
【図６】
2009210274.tif 000008
【図７】
2009210274.tif 000009
【図８】
2009210274.tif 000010
【図９】
2009210274.tif 000011
【図１０】
2009210274.tif 000012
【図１１】
2009210274.tif 000013
【図１２】
2009210274.tif 000014